(57)【要約】【課題】スライド操作の負担を軽減できるようにする。【解決手段】スライド機構１は、摺動ピン４と、摺動ピン４を上下に案内する第一案内部２４及び第一案内部２４の上端部に連なって第一案内部２４の上端部から右に曲げられた第一引掛部２５が形成されたベース２と、摺動ピン４を上下に案内する第二案内部３６、第二案内部３６の上端部に連なって左に曲げられた第二引掛部３７及び第二案内部３６の下端部に連なった逃げ３８が形成され、ベースに対して上下に摺動可能に設けられたスライダ３と、一端部が摺動ピン４に連結され、他端部の上下の位置が第一案内部２４の両端部の間となってその他端部がベース２に回転可能に連結され、摺動ピンをその他端部から離れる方向に付勢する付勢機構５と、を備える。【選択図】図１
2010028453.tif 000002
【特許請求の範囲】
【請求項１】
摺動子と、
前記摺動子を上下に案内する第一案内部と、前記第一案内部の一端部に連なって前記第一案内部の一端部から曲げられた第一引掛部とが形成されたベースと、
前記摺動子を上下に案内する第二案内部と、前記第二案内部の一端部に連なった第二引掛部と、前記第二案内部の他端部に連なった逃げとが形成され、前記ベースに対して上下に摺動可能に設けられたスライダと、
一端部が前記摺動子に連結され、他端部の上下の位置が前記第一案内部の両端部の間となってその他端部が前記ベースに回転可能に連結され、前記摺動子をその他端部から離れる方向に付勢する付勢機構と、を備えることを特徴とするスライド機構。
【請求項２】
前記第一引掛部が前記第一案内部に関して前記付勢機構の他端部側に曲げられていることを特徴とする請求項１に記載のスライド機構。
【請求項３】
前記第一案内部と前記第二案内部が左右にずれており、
前記第二案内部と前記第一引掛部との左右の位置が揃っていることを特徴とする請求項２に記載のスライド機構。
【請求項４】
前記摺動子が前記第一引掛部に引っ掛かった状態で前記第二案内部に沿って摺動することを特徴とする請求項３に記載のスライド機構。
【請求項５】
前記第二案内部が上下に直線状に延在していることを特徴とする請求項３又は４に記載のスライド機構。
【請求項６】
前記第二案内部が前記付勢機構の他端部側へ凸となるよう弓なり状に形成されていることを特徴とする請求項３又は４に記載のスライド機構。
【請求項７】
前記第一案内部の両端部と前記第二引掛部との左右の位置が揃っていることを特徴とする請求項３から６の何れか一項に記載のスライド機構。
【請求項８】
前記摺動子が前記第二引掛部に引っ掛かった状態で前記第一案内部に沿って摺動することを特徴とする請求項７に記載のスライド機構。
【請求項９】
前記摺動子が前記第二引掛部に引っ掛かった状態で前記第一案内部の一端部に位置している状態において、前記第二引掛部が前記付勢機構の他端部を中心とした径方向に延在していることを特徴とする請求項７又は８に記載のスライド機構。
【請求項１０】
前記第一案内部が上下に直線状に延在していることを特徴とする請求項７から９の何れか一項に記載のスライド機構。
【請求項１１】
前記第一案内部の両端部の間の部分が前記付勢機構の他端部側へ凸となるよう弓なり状に形成されていることを特徴とする請求項７から９の何れか一項に記載のスライド機構。
【請求項１２】
前記第一案内部の弓なり状の頂部の上下の位置が前記付勢機構の他端部に揃っていることを特徴とする請求項１１に記載のスライド機構。
【請求項１３】
前記逃げが前記第二案内部の他端部から前記第一案内部の一端部の一部に重なる位置まで逃げていることを特徴とする請求項３から１１の何れか一項に記載のスライド機構。
【請求項１４】
前記第一案内部及び前記第一引掛部からなる溝又は長孔と、前記第二案内部、前記第二引掛部及び前記逃げからなる溝又は長孔とが互いに独立していることを特徴とする請求項１から１３の何れか一項に記載のスライド機構。
【請求項１５】
前筐体と、
前記前筐体の後面に向き合う後ろ筐体と、
請求項１から１４の何れか一項に記載のスライド機構と、を備え、
前記ベースが前記前筐体の後面に取り付けられ、前記スライダが前記後ろ筐体の前面に取り付けられていることを特徴とする電子機器。
【請求項１６】
前記前筐体の後面に開口が形成され、前記ベースが前記開口に嵌め込まれるとともに、前記スライダの一部が前記開口に入り込み、
前記スライダの摺動範囲が、前記第一案内部の他端部と前記第二引掛部の上下の位置が揃うとともに前記スライダが前記開口の下部壁面に接する位置から、前記逃げと前記第一引掛部の上下の位置が揃うとともに前記スライダが前記開口の上部壁面に接する位置までであることを特徴とする請求項１５に記載の電子機器。
【請求項１７】
前記後ろ筐体の前面であって前記スライダの取付位置よりも上側に設けられた第一入力部と、
前記後ろ筐体の前面であって前記スライダの取付位置よりも下側に設けられた第二入力部と、を更に備えることを特徴とする請求項１５又は１６に記載の電子機器。
【請求項１８】
前記前筐体の前面に設けられた表示部を更に備えることを特徴とする請求項１５から１７の何れか一項に記載の電子機器。
【発明の詳細な説明】
【技術分野】
【０００１】
本発明は、スライド機構及び電子機器に関し、特にそのスライダ又は筐体を低負荷で移動させることができるスライド機構及び電子機器に関する。
【背景技術】
【０００２】
近年、スライド式の携帯電話機が広く普及している。かかる携帯電話機においては、前筐体の後面と後ろ筐体の前面がスライド機構によって連結され、後ろ筐体を前筐体に対して上下にスライドできるようになっている。また、後ろ筐体が前筐体と全体的に重なった閉じ状態から上下の両方にスライドし得る携帯電話機もある。例えば、特許文献１に記載の携帯電話機においては、前筐体（１）に対して後ろ筐体（Ｓ）を下に引き出した状態では、後ろ筐体（Ｓ）が操作部として機能し、前筐体（１）に対して後ろ筐体（Ｓ）を上に引き出した状態では、後ろ筐体（Ｓ）がカメラ等に機能する。そのため、利用する機能によって後ろ筐体の機能を使い分けることができる。
【特許文献１】特開２００７−６７８９２号公報
【発明の開示】
【発明が解決しようとする課題】
【０００３】
しかしながら、前筐体（１）に対して後ろ筐体（Ｓ）を上下のどちらに引き出す場合であっても、後ろ筐体（Ｓ）を引き出した状態から閉じ状態にスライドさせる場合であっても、そのスライド範囲全体にわたって手動で後ろ筐体をスライドさせなければならず、スライド操作に大きな力を必要としていた。
そこで、本発明の課題は、スライド操作の負担を軽減できるようにすることである。
【課題を解決するための手段】
【０００４】
請求項１に係る発明によれば、
摺動子と、
前記摺動子を上下に案内する第一案内部と、前記第一案内部の一端部に連なって前記第一案内部の一端部から曲げられた第一引掛部とが形成されたベースと、
前記摺動子を上下に案内する第二案内部と、前記第二案内部の一端部に連なった第二引掛部と、前記第二案内部の他端部に連なった逃げとが形成され、前記ベースに対して上下に摺動可能に設けられたスライダと、
一端部が前記摺動子に連結され、他端部の上下の位置が前記第一案内部の両端部の間となってその他端部が前記ベースに回転可能に連結され、前記摺動子をその他端部から離れる方向に付勢する付勢機構と、を備えることを特徴とするスライド機構が提供される。
【０００５】
請求項２に係る発明によれば、
前記第一引掛部が前記第一案内部に関して前記付勢機構の他端部側に曲げられていることを特徴とする請求項１に記載のスライド機構が提供される。
【０００６】
請求項３に係る発明によれば、
前記第一案内部と前記第二案内部が左右にずれており、
前記第二案内部と前記第一引掛部との左右の位置が揃っていることを特徴とする請求項２に記載のスライド機構が提供される。
【０００７】
請求項４に係る発明によれば、
前記摺動子が前記第一引掛部に引っ掛かった状態で前記第二案内部に沿って摺動することを特徴とする請求項３に記載のスライド機構が提供される。
【０００８】
請求項５に係る発明によれば、
前記第二案内部が上下に直線状に延在していることを特徴とする請求項３又は４に記載のスライド機構が提供される。
【０００９】
請求項６に係る発明によれば、
前記第二案内部が前記付勢機構の他端部側へ凸となるよう弓なり状に形成されていることを特徴とする請求項３又は４に記載のスライド機構が提供される。
【００１０】
請求項７に係る発明によれば、
前記第一案内部の両端部と前記第二引掛部との左右の位置が揃っていることを特徴とする請求項３から６の何れか一項に記載のスライド機構が提供される。
【００１１】
請求項８に係る発明によれば、
前記摺動子が前記第二引掛部に引っ掛かった状態で前記第一案内部に沿って摺動することを特徴とする請求項７に記載のスライド機構が提供される。
【００１２】
請求項９に係る発明によれば、
前記摺動子が前記第二引掛部に引っ掛かった状態で前記第一案内部の一端部に位置している状態において、前記第二引掛部が前記付勢機構の他端部を中心とした径方向に延在していることを特徴とする請求項７又は８に記載のスライド機構が提供される。
【００１３】
請求項１０に係る発明によれば、
前記第一案内部が上下に直線状に延在していることを特徴とする請求項７から９の何れか一項に記載のスライド機構が提供される。
【００１４】
請求項１１に係る発明によれば、
前記第一案内部の両端部の間の部分が前記付勢機構の他端部側へ凸となるよう弓なり状に形成されていることを特徴とする請求項７から９の何れか一項に記載のスライド機構が提供される。
【００１５】
請求項１２に係る発明によれば、
前記第一案内部の弓なり状の頂部の上下の位置が前記付勢機構の他端部に揃っていることを特徴とする請求項１１に記載のスライド機構が提供される。
【００１６】
請求項１３に係る発明によれば、
前記逃げが前記第二案内部の他端部から前記第一案内部の一端部の一部に重なる位置まで逃げていることを特徴とする請求項３から１１の何れか一項に記載のスライド機構が提供される。
【００１７】
請求項１４に係る発明によれば、
前記第一案内部及び前記第一引掛部からなる溝又は長孔と、前記第二案内部、前記第二引掛部及び前記逃げからなる溝又は長孔とが互いに独立していることを特徴とする請求項１から１３の何れか一項に記載のスライド機構が提供される。
【００１８】
請求項１５に係る発明によれば、
前筐体と、
前記前筐体の後面に向き合う後ろ筐体と、
請求項１から１４の何れか一項に記載のスライド機構と、を備え、
前記ベースが前記前筐体の後面に取り付けられ、前記スライダが前記後ろ筐体の前面に取り付けられていることを特徴とする電子機器が提供される。
【００１９】
請求項１６に係る発明によれば、
前記前筐体の後面に開口が形成され、前記ベースが前記開口に嵌め込まれるとともに、前記スライダの一部が前記開口に入り込み、
前記スライダの摺動範囲が、前記第一案内部の他端部と前記第二引掛部の上下の位置が揃うとともに前記スライダが前記開口の下部壁面に接する位置から、前記逃げと前記第一引掛部の上下の位置が揃うとともに前記スライダが前記開口の上部壁面に接する位置までであることを特徴とする請求項１５に記載の電子機器が提供される。
【００２０】
請求項１７に係る発明によれば、
前記後ろ筐体の前面であって前記スライダの取付位置よりも上側に設けられた第一入力部と、
前記後ろ筐体の前面であって前記スライダの取付位置よりも下側に設けられた第二入力部と、を更に備えることを特徴とする請求項１５又は１６に記載の電子機器が提供される。
【００２１】
請求項１８に係る発明によれば、
前記前筐体の前面に設けられた表示部を更に備えることを特徴とする請求項１５から１７の何れか一項に記載の電子機器が提供される。
【発明の効果】
【００２２】
本発明によれば、スライダを上下にスライドさせる際の負担を付勢機構によって軽減することができる。また、スライダの位置によって付勢の向きを変えることができる。
【発明を実施するための最良の形態】
【００２３】
以下に、本発明を実施するための好ましい形態について図面を用いて説明する。但し、以下に述べる実施形態には、本発明を実施するために技術的に好ましい種々の限定が付されているが、発明の範囲を以下の実施形態及び図示例に限定するものではない。
【００２４】
＜第１の実施の形態＞
図１〜図３は、スライド機構１を示した正面図であり、図４は、スライド機構１を示した下面図である。
【００２５】
このスライド機構１は、ベース２、スライダ３、摺動ピン４及び付勢機構５等を備える。
【００２６】
ベース２の左右両端には、ガイドレール２１，２２が形成されている。ガイドレール２１，２２は、上下に一直線状に形成されている。ベース２は、その両側のガイドレール２１，２２を含めて、金属製である。
【００２７】
ベース２の左部にはガイド２３が形成されている。ガイド２３はベース２の後面から前面に貫通した孔である。なお、ガイド２３がベース２の後面に凹設された溝であってもよいが、その場合でも、正面視した形状は図１の場合と同様である。
【００２８】
ガイド２３は、上下方向に直線状に延びている第一案内部２４と、第一案内部２４の上端部に連なるとともに第一案内部２４の上端部から右に直角に曲げられた第一引掛部２５と、からなる。第一案内部２４は、ガイドレール２１，２２に対して平行に設けられている。
【００２９】
スライダ３が薄板状に形成されている。このスライダ３は、ベース２の背面から間隔をおいてベース２の背面側に設けられている。スライダ３の左右両側にはキャリッジ３１，３２が取り付けられ、キャリッジ３１，３２には上下方向に長尺なスリット３３，３４がそれぞれ形成されている。スリット３３にガイドレール２１が差し込まれ、スリット３４にガイドレール２２が差し込まれている。キャリッジ３１がガイドレール２１に沿って摺動可能とされ、キャリッジ３２がガイドレール２２に沿って摺動可能とされ、これによりスライダ３がベース２に対して上下にスライド可能となっている。キャリッジ３１，３２が樹脂製であるから、金属のガイドレール２１，２２に対して潤滑性が高くなっている。なお、上下方向とは、必ずしも重力が作用する方向をいうものではなく、ベース２に対してスライダ３がスライドする方向をいう。
【００３０】
図５に示すように、スライダ３の左部にはガイド３５が形成されている。ガイド３５はスライダ３の後面から前面に貫通した孔である。なお、ガイド３５がスライダ３の前面に凹設された溝であってもよいが、その場合でも、正面視した形状は図１の場合と同様である。
【００３１】
ガイド３５は、上下方向に直線状に延びている第二案内部３６と、第二案内部３６の上端に連なるとともに第二案内部３６の上端から左斜め上に曲げられた第二引掛部３７と、第二案内部３６の下端において左に窪んだ逃げ３８と、からなる。ガイド３５がガイド２３に対して独立しているから、ガイド３５とガイド２３の長さを任意に設定することができる。
【００３２】
図１〜図３に示すように、ガイド３５の第二案内部３６がガイド２３の第一案内部２４に対して平行となっているとともに、第二案内部３６が第一案内部２４よりも右側にある。また、ガイド３５の第二引掛部３７とガイド２３の第一案内部２４とは左右の位置が揃っており、ガイド２３の第一引掛部２５とガイド３５の第二案内部３６とは左右の位置が揃っている。逃げ３８は、第一案内部２４の右の一部に重なる位置まで逃げている。つまり、逃げ３８は、僅かながらガイド２３の第一案内部２４に臨むよう左に窪んでいるが、第一案内部２４の左縁まで至っていない。
【００３３】
図２に示すように、スライダ３の位置がスライダ３の下端とベース２の下端が揃う位置（以下、最下位置という。）にある場合には、第一案内部２４の下端部が第二引掛部３７の突端部に重なっている。図３に示すように、スライダ３の位置がスライダ３の上端とベース２の上端が揃う位置（以下、最上位置という。）にある場合には、逃げ３８が第一案内部２４の上端右部から第二引掛部３７の左部にかけての部分に重なっている。図１に示すように、スライダ３の位置が最上位置と最下位置の間の所定位置（以下、原点位置という。）にある場合には、第一案内部２４の上端部と第二引掛部３７の突端部に重なっている。
【００３４】
図１〜図３に示すように、摺動ピン４がガイド２３及びガイド３５に差し込まれている。摺動ピン４はガイド２３によってガイド２３に沿って案内されるとともに、ガイド３５によってガイド３５に沿って案内される。図４に示すように摺動ピン４の両端部にはフランジ４１，４２が設けられ、フランジ４１がガイド２３（図４では図示略）の両側においてベース２の前面に引っ掛かり、フランジ４２がガイド３５（図４では図示略）の両側においてスライダ３の後面に引っ掛かっている。これにより、摺動ピン４がガイド２３，３５から抜けないようになっている。なお、フランジ４１がベース２の正面側にあり、図１〜３においてはフランジ４１によってガイド２３，３５の一部が隠れてしまうため、ガイド２３，３５を視認しやすいように、フランジ４１を破線で図示する。
【００３５】
図１〜図４に示すように、ベース２の後面とスライダ３の前面との間に付勢機構５が配設されている。付勢機構５の一端部が摺動ピン４に連結され、付勢機構５の他端部がガイド２３及びガイド３５の右方において回転軸５１によってベース２に連結されている。付勢機構５の他端部（つまり、回転軸５１）の上下の位置は、第一案内部２４の上端と下端との間である。この付勢機構５によって摺動ピン４が回転軸５１から離れる方向に付勢されている。
【００３６】
図６は、付勢機構５を示した斜視図である。この付勢機構５においては、ガイドレール５３が第一の可動部５２に形成され、スライド部５６が第二の可動部５５に形成され、スライド部５６がガイドレール５３に装着され、スライド部５６がガイドレール５３沿ってスライド可能に設けられている。第一の可動部５２には複数の摺動棒５４が設けられ、これら摺動棒５４がガイドレール５３に対して平行に設けられている。これら摺動棒５４が第二の可動部５５に形成された孔に挿入され、これら摺動棒５４が第二の可動部５５に対してスライド可能となっている。同様に、第二の可動部５５には複数の摺動棒５７が設けられ、これら摺動棒５７が第一の可動部５２に対してスライド可能となっている。これら摺動棒５４，５７には圧縮バネ５８が巻装され、これら圧縮バネ５８が第一の可動部５２及び第二の可動部５５の間に挟まれている。第一の可動部５２には装着孔６１が形成され、この装着孔６１に回転軸５１（図６では図示略）が軸支される。第二の可動部５５には装着孔６２が形成され、この装着孔６２に摺動ピン４（図６では図示略）が軸支されている。圧縮バネ５８による付勢の向きは、摺動ピン４と回動軸５１とが互いに離れる向きである。
【００３７】
以上のように構成されたスライド機構１は、図７〜図９に示すような携帯型の電子機器８に組み込まれている。この電子機器８は、携帯電話機、パーソナルコンピュータ、デジタルカメラ、ＰＤＡ（Personal Digital Assistance）、電子手帳、携帯無線機その他の電子機器である。この電子機器８は、上記スライド機構１に加えて、このスライド機構１によって互いにスライド可能となって連結された前筐体８０及び後ろ筐体９０を備える。
【００３８】
前筐体８０の後面には矩形状の開口８４が形成されている。その開口８４にベース２（図７〜図９では図示略。）が嵌め込まれてその開口８４がベース２によって閉塞され、ベース２がネジによって前筐体８０に取り付けられている。また、スライダ３（図７〜図９では図示略。）の一部が開口８４に入り込んでいるとともに、スライダ３がネジによって後ろ筐体９０の前面に取り付けられている。そのため、スライダ３がスライドできる範囲は、スライダ３の上端が開口８４の上部壁面８５に接する位置からスライダ３の下端が開口８４の下部壁面８６に接する位置までの範囲である。
【００３９】
前筐体８０の前面であってその下部には、複数の押釦８２等を有する入力部８１が設けられている。前筐体８０の前面であって入力部８１の上側には、液晶ディスプレイ又はＥＬディスプレイ等を有する表示部８３が設けられている。
【００４０】
後ろ筐体９０の前面であってスライダ３の上側には、複数の押釦９１等を有する第一入力部９２が設けられている。後ろ筐体９０の前面であってスライダ３の下側には、複数の押釦９３等を有する第二入力部９４が設けられている。なお、入力部９２，９４が、方向入力デバイス（例えば、トラックボール式ポインティングデバイス、光学式ポインティングデバイス、静電容量式ポインティングデバイス）でもよい。また、入力部９２，９４の代わりに、又は入力部９２，９４とともに表示部を設けてもよいし、その表示面に透明型のタッチセンサが設けられてもよい。また、入力部９２，９４の代わりに又は入力部９２，９４とともに、撮像素子及びレンズ等を有するカメラ部が設けられてもよい。
【００４１】
スライダ３が図１に示すように原点位置にある場合には、図７に示すように前筐体８０の上端と後ろ筐体９０の上端の上下の位置が揃っているとともに、前筐体８０の下端と後ろ筐体９０の下端の上下の位置が揃っている。そのため、後ろ筐体９０の前面全体が前筐体８０によって覆われ、入力部９２，９４が前筐体８０の後ろ側に隠れている。
【００４２】
スライダ３が図２に示すように最下位置にある場合には、図８に示すように後ろ筐体９０の下端が前筐体８０の下端に対して下にずれ、後ろ筐体９０の前面のうちスライダ３よりも下の部分が前筐体８０より下に位置する。そのため、第二入力部９４が露出している。スライダ３が最下位置に位置している場合には、スライダ３の下端が開口８４の下部壁面８６に接している。そのため、後ろ筐体９０がそれ以上下にスライドしない。
【００４３】
スライダ３が図３に示すように最上位置にある場合には、図９に示すように後ろ筐体９０の上端が前筐体８０の上端に対して上にずれ、後ろ筐体９０の前面のうちスライダ３よりも上の部分が前筐体８０より上に位置する。そのため、第一入力部９２が露出している。スライダ３が最上位置に位置している場合には、スライダ３の上端が開口８４の上部壁面８５に接している。そのため、後ろ筐体９０がそれ以上上にスライドしない。
【００４４】
次に、スライド機構１及び電子機器８の操作方法及び作用について説明する。
【００４５】
（１）スライダ３が原点位置に位置している場合（図１、図７）
摺動ピン４が第二引掛部３７に引っ掛かって第二引掛部３７の突端に位置している。また、摺動ピン４が第一案内部２４の上端部に位置している。付勢機構５によって摺動ピン４が左斜め上に付勢されている。摺動ピン４によってスライダ３が左斜め上に押されている。そうであったものとしても、摺動ピン４が第一案内部２４の上部突き当たりに当接しているので、摺動ピン４の上方への移動が規制され、スライダ３が上方に移動せずに原点位置に停止した状態が保持されている。また、この状態においては、この状態にあっては、第二引掛部３７が回転軸５１を中心とした径方向に延在している。
【００４６】
（２）スライダ３が原点位置から最下位置にスライドする場合
ユーザが前筐体８０を後ろ筐体９０に対して上にスライドさせると、スライダ３がベース２に対して相対的に下にスライドする。そうすると、摺動ピン４が第二引掛部３７に引っ掛かった状態で第一案内部２４に沿って下に摺動し、付勢機構５が正面から見て回転軸５１を中心にして反時計回りに回転する。摺動ピン４が下に摺動すると、付勢機構５による付勢力が大きくなる。つまり、摺動ピン４から回転軸５１までの距離が短くなり、第一の可動部５２と第二の可動部５５が互いに近づき、圧縮バネ５８が圧縮されて、その反発力が大きくなる。そして、摺動ピン４と回転軸５１の上下の位置が揃うと、摺動ピン４から回転軸５１までの距離が最も短くなり、圧縮バネ５８の反発力が最も大きくなる。なお、摺動ピン４と回転軸５１の上下の位置が揃う前にユーザが前筐体８０又は後ろ筐体９０を放すと、付勢機構５によって摺動ピン４が左斜め上に付勢されているから、その分力によってスライダ３が上にスライドして、スライダ３が原点位置に戻る。
【００４７】
更にユーザが前筐体８０を後ろ筐体９０に対して上にスライドさせると、摺動ピン４の上下の位置が回転軸５１よりも下になる（図１０参照）。そうすると、付勢機構５によって摺動ピン４が付勢される向きが左斜め下になる。そのため、付勢機構５によってスライダ３がベース２に対して自然に下にスライドし、それに伴い、前筐体８０が後ろ筐体９０に対して自然に上にスライドする。
【００４８】
そして、スライダ３が最下位置まで移動すると、第二入力部９４の全ての押釦９３が露出し、摺動ピン４が第一案内部２４の下端に至って、スライダ３のキャリッジ３１，３２が前筐体８０の開口８４の下部壁面８６に接する。そのため、付勢機構５に付勢力の分力によってスライダ３が下に付勢されていても、スライダ３がベース２に対して下にそれ以上移動せず、前筐体８０が後ろ筐体９０に対して上にそれ以上移動しない。
【００４９】
以上のように、ユーザがスライダ３を原点位置から最下位置までスライドさせずとも、摺動ピン４の上下の位置が回転軸５１に揃う位置までスライダ３をスライドさせるだけで、スライダ３が付勢機構５の付勢力によって最下位置までスライドする。従って、ユーザにとっては前筐体８０やスライダ３を長い距離スライドせずに済む。そのため、ユーザは指先だけで簡単に前筐体８０を上に開くことができる。
また、摺動ピン４が第二引掛部３７に引っ掛かった状態で第一案内部２４に沿って下に摺動するので、ユーザにとってスムーズなスライド操作が可能となる。
【００５０】
（３）スライダ３が最下位置に位置している場合（図２、図８）
摺動ピン４が第二引掛部３７に引っ掛かった状態でスライダ３が付勢機構５によって下に付勢されているから、スライダ３が最下位置から上に移動しにくい。そのため、スライダ３が最下位置に位置する状態、つまり、図８のように第二入力部９４の全体が露出した状態であって後ろ筐体９０が下に引き出た状態が、保持される。
【００５１】
（４）スライダ３が最下位置から原点位置にスライドする場合
ユーザが前筐体８０を後ろ筐体９０に対して下にスライドさせる。そうすると、スライダ３がベース２に対して相対的に上にスライドする。摺動ピン４が第二引掛部３７に引っ掛かっているから、摺動ピン４がスライダ３とともに第一案内部２４に沿って上に移動し、付勢機構５が正面から見て回転軸５１を中心にして時計回りに回転する。
そして、摺動ピン４の上下の位置が回転軸５１よりも上になると、摺動ピン４が第二引掛部３７に引っ掛かった状態であるから、付勢機構５によってスライダ３がベース２に対して自然に上にスライドし、それに伴い、前筐体８０が後ろ筐体９０に対して自然に下にスライドする。そのため、ユーザにとっては前筐体８０やスライダ３を長い距離スライドさせずに済む。
そして、スライダ３が原点位置まで移動すると、摺動ピン４が第一案内部２４の上端に位置し、後ろ筐体９０の前面全体が前筐体８０によって覆われる。
【００５２】
（５）スライダ３が原点位置から最上位置にスライドする場合
スライダ３が原点位置にある状態からユーザが前筐体８０を後ろ筐体９０に対して下にスライドさせると、スライダ３がベース２に対して相対的に上にスライドする。そうすると、摺動ピン４が第一案内部２４の上端に当たっているからベース２に対して上に移動しない。一方、スライダ３がベース２及び摺動ピン４に対して上に移動するから、相対的に摺動ピン４が第二引掛部３７に沿って右斜め下に移動する。そうして、スライダ３に対しては相対的に摺動ピン４が第二引掛部３７から第二案内部３６に移動し、ベース２に対しては相対的に摺動ピン４が第一案内部２４の上端から第一引掛部２５に移動する。この際、摺動ピン４が僅かながら回転軸５１に近づくから、付勢機構５の圧縮バネ５８が圧縮される。
【００５３】
更にユーザが前筐体８０を後ろ筐体９０に対して下にスライドさせると、スライダ３がベース２に対して相対的に更に上にスライドする。そうすると、摺動ピン４が第一引掛部２５に引っ掛かっているから、摺動ピン４がスライダ３に対して相対的に第二案内部３６に沿って下に移動する（図１１参照）。この際、摺動ピン４から回転軸５１までの距離が保たれ、付勢機構５の姿勢も保たれる。
【００５４】
引き続きユーザが前筐体８０を後ろ筐体９０に対して下にスライドさせて、スライダ３が最上位置の僅か下にまで移動すると、摺動ピン４が第二案内部３６の下端に至る。そして、スライダ３が最上位置にまで移動すると、第一入力部９２の全ての押釦９１が露出し、摺動ピン４が付勢機構５によって押されて逃げ３８に入り込む。この時、ユーザにとっては付勢機構５による付勢力をクリック感として得られる。摺動ピン４が逃げ３８に入り込んでも、摺動ピン４の全体が第一案内部２４の上端部に移動するのではなく、摺動ピン４の一部が第一案内部２４の上端部に移り、他の部分が第一引掛部２５に残って引っ掛かっている。
【００５５】
（６）スライダ３が最上位置に位置している場合（図３、図９）
摺動ピン４が逃げ３８に引っ掛かって、付勢機構５によって摺動ピン４が逃げ３８に押し込まれており、摺動ピン４が逃げ３８にも第一引掛部２５にも引っ掛かっているから、スライダ３が最上位置から上に移動しにくい。そのため、スライダ３が最上位置に位置する状態、つまり、図９のように第一入力部９２の全体が露出した状態であって後ろ筐体９０が上に引き出た状態が、保持される。
【００５６】
（７）スライダ３が最上位置から原点位置にスライドする場合
ユーザが前筐体８０を後ろ筐体９０に対して上にスライドさせると、スライダ３がベース２に対して相対的に下にスライドする。その際、摺動ピン４が逃げ３８から第二案内部３６に外れ、これによりユーザがクリック感を得られる。なお、逃げ３８が第一案内部２４の左縁まで形成されていないから、摺動ピン４が第一引掛部２５から第一案内部２４に外れることがない。
【００５７】
そして、スライダ３がベース２に対して下にスライドすることによって、摺動ピン４が第一引掛部２５に引っ掛かった状態でスライダ３に対して相対的に第二案内部３６に沿って上に移動する。引き続きユーザが前筐体８０を後ろ筐体９０に対して下にスライドさせて、スライダ３が原点位置の僅か上にまで移動すると、摺動ピン４が第二案内部３６の上端に至る。そして、スライダ３が原点位置にまで移動すると、摺動ピン４が付勢機構５によって押されて第二引掛部３７に入り込んで第二引掛部３７に引っ掛かるとともに、摺動ピン４の全体が第一引掛部２５から第一案内部２４に外れる。また、後ろ筐体９０の前面全体が前筐体８０によって覆われる。摺動ピン４が第二引掛部３７に引っ掛かる時、ユーザにとっては付勢機構５による付勢力をクリック感として得られる。この時、第二引掛部３７の延在方向が回転軸５１の径方向であるから、摺動ピン４が第二引掛部３７に引っ掛かりやすい。
【００５８】
以上のように、本実施形態によれば、ガイド２３，３５が互いに独立しているから、案内部２４，３６の長さを独立に設定することができ、前筐体８０が後ろ筐体９０に重なった状態から上へのスライド範囲と、前筐体８０が後ろ筐体９０に重なった状態から下へのスライド範囲とを別個に設定することができる。
【００５９】
また、前筐体８０の前面に表示部８３が設けられ、後ろ筐体９０の前面上部に第一入力部９２が設けられ、後ろ筐体９０の前面下部に第二入力部９４が設けられているから、電子機器８の形態に応じて電子機器８の機能を切り替えることができる。即ち、前筐体８０を下にスライドさせて第一入力部９２を露出させた場合と、前筐体８０を上にスライドさせて第二入力部９４を露出させた場合とでは、電子機器８の機能が異なれば、機能を切り替えて利用できる電子機器８を提供することができる。
なお、摺動ピン４にローラーが回転可能に取り付けられ、そのローラーがガイド２３，３５に挿入されていてもよい。摺動ピン４がガイド２３，３５に沿って移動する際には、ローラーが転動することによってスムーズな移動が実現される。
【００６０】
＜第２の実施の形態＞
図１２（ａ）は、第２実施形態におけるスライド機構１Ａを示した正面図であり、図１２（ｂ）は、このスライド機構１Ａに備えられるスライダ３を示す。なお、第２実施形態のスライド機構１Ａと第１実施形態のスライド機構１との間で互いに対応する部分には同一の符号を付す。
【００６１】
第１実施形態では、図１、図５等に示すように、スライダ３に形成されたガイド３５のうち第二案内部３６が上下方向に直線状に延びている。それに対し、第２実施形態では、図１２に示すように、スライダ３に形成されたガイド３５のうち第二案内部３６が右に凸となるよう弓なり状に湾曲し、ガイド３５全体としても弓なり状に湾曲している。また、第一引掛部２５の右端と第二案内部３６の右側頂部（第二案内部３６のうち最も右側の部分）とは、左右の位置が揃っている。
【００６２】
上記以外については、第２実施形態のスライド機構１Ａと第１実施形態のスライド機構１との間で互いに対応する部分は同様に設けられている。また、このスライド機構１Ａは、第１実施形態のスライド機構１と同様にして、前筐体８０と後ろ筐体９０との間に設けられ、前筐体８０と後ろ筐体９０がスライド機構１Ａによって連結されている。
【００６３】
第二案内部３６が弓なり状に湾曲しているから、スライダ３が原点位置から最上位置に又はその逆にスライドする際に、付勢機構５による付勢力が変化する。以下、それについて具体的に説明する。
【００６４】
スライダ３が原点位置にある状態からユーザが前筐体８０を後ろ筐体９０に対して下にスライドさせると、スライダ３がベース２に対して上にスライドする。そうすると、摺動ピン４が第一案内部２４の上端に当たっているからベース２に対して上に移動しない。一方、スライダ３がベース２及び摺動ピン４に対して上に移動するから、スライダ３に対しては摺動ピン４が第二引掛部３７から第二案内部３６に移動し、ベース２に対しては摺動ピン４が第一案内部２４の上端から第一引掛部２５に移動する。
【００６５】
更にユーザが前筐体８０を後ろ筐体９０に対して下にスライドさせると、スライダ３がベース２に対して更に上に移動する。そうすると、摺動ピン４が第一引掛部２５に引っ掛かっているから、摺動ピン４がスライダ３に対して相対的に第二案内部３６に沿って移動する。この際、第二案内部３６が弓なり状に湾曲しているから、摺動ピン４が第一引掛部２５に沿って右に移動する。これにより、付勢機構５による付勢力が大きくなる。つまり、摺動ピン４から回転軸５１までの距離が短くなり、第一の可動部５２と第二の可動部５５が互いに近づき、圧縮バネ５８が圧縮されて、その反発力が大きくなる。なお、摺動ピン４が第二案内部３６の右の頂部に至る前にユーザが前筐体８０又は後ろ筐体９０を放すと、付勢機構５の付勢力によって摺動ピン４が第二引掛部３７に戻ることで、スライダ３が下にスライドして、スライダ３が原点位置に戻る。
【００６６】
引き続きユーザが前筐体８０を後ろ筐体９０に対して下にスライドさせて、スライダ３がベース２に対して上にスライドすると、摺動ピン４が第二案内部３６の右の頂部に至って、付勢機構５の付勢力が最も大きくなる。更に、ユーザが前筐体８０を後ろ筐体９０に対して下にスライドさせて、スライダ３がベース２に対して上にスライドすると、摺動ピン４がスライダ３に対して相対的に第二案内部３６に沿って左下に移動する。ここで、摺動ピン４が第二案内部３６の右の頂部より下に移動すると、付勢機構５によってスライダ３がベース２に対して自然に上にスライドし、それに伴い、前筐体８０が後ろ筐体９０に対して自然に下にスライドする。そして、スライダ３が最上位置にまで移動すると、第一入力部９２の全ての押釦９１が露出し、摺動ピン４が付勢機構５によって押されて逃げ３８に入り込む（図１２（ａ））。摺動ピン４が逃げ３８に入り込んでも、摺動ピン４の一部が第一案内部２４の上端部に移り、他の部分が第一引掛部２５に残って引っ掛かっている。
【００６７】
以上のように、ユーザがスライダ３を原点位置から最上位置までスライドさせずとも、摺動ピン４の上下の位置が第二案内部３６の右の頂部に揃う位置までスライダ３をスライドさせるだけで、スライダ３が付勢機構５の付勢力によって最上位置までスライドする。従って、ユーザにとっては前筐体８０やスライダ３を長い距離スライドせずに済む。そのため、ユーザは指先だけで簡単に前筐体８０を下に開くことができる。
【００６８】
スライダ３が最上位置にある状態からユーザが前筐体８０を後ろ筐体９０に対して上にスライドさせると、スライダ３がベース２に対して下にスライドする。そうすると、摺動ピン４が第一引掛部２５に当たっているからベース２に対して下に移動しない。一方、スライダ３がベース２及び摺動ピン４に対して下に移動するから、スライダ３に対しては摺動ピン４が逃げ３８及び第二案内部３６に沿って移動し、ベース２に対しては摺動ピン４が第一引掛部２５に沿って右に移動する。これにより、付勢機構５による付勢力が大きくなる。更に、ユーザが前筐体８０を後ろ筐体９０に対して上にスライドさせて、スライダ３がベース２に対して下にスライドすると、摺動ピン４がスライダ３に対して相対的に第二案内部３６に沿って右上に移動する。ここで、摺動ピン４が第二案内部３６の右の頂部より上に移動すると、付勢機構５の付勢力によって摺動ピン４がスライダ３に対して相対的に第二案内部３６に沿って左上に移動する。これによりスライダ３がベース２に対して自然に下にスライドし、それに伴い、前筐体８０が後ろ筐体９０に対して自然に上にスライドする。そして、スライダ３が原点位置にまで移動すると、摺動ピン４が付勢機構５によって押されて第二引掛部３７に入り込んで第二引掛部３７に引っ掛かるとともに、摺動ピン４の全体が第一引掛部２５から第一案内部２４に外れる。また、後ろ筐体９０の前面全体が前筐体８０によって覆われる。
【００６９】
なお、スライダ３が原点位置から最下位置に又はその逆にスライドする場合、第２実施形態のスライド機構１Ａは第１実施形態のスライド機構１と同様に作用する。
【００７０】
＜第３の実施の形態＞
図１３は、第３実施形態におけるスライド機構１Ｂを示した正面図である。なお、第３実施形態のスライド機構１Ｂと第１実施形態のスライド機構１との間で互いに対応する部分には同一の符号を付す。
【００７１】
第１実施形態では、図１等に示すように、ベースに形成されたガイド２３のうち第一案内部２４が上下方向に直線状に延びている。それに対し、第３実施形態では、図１３に示すように、第一案内部２４のうち上下方向の中央部２４ａが右に凸となるよう弓なり状に湾曲し、第一案内部２４の上部２４ｂ及び下部２４ｃが上下方向に直線状に延びている。第一案内部２４の中央部２４ａの右側頂部と回転軸５１とは、上下の位置が揃っている。
【００７２】
上記以外については、第３実施形態のスライド機構１Ｂと第１実施形態のスライド機構１との間で互いに対応する部分は同様に設けられている。また、このスライド機構１Ｂは、第１実施形態のスライド機構１と同様にして、前筐体８０と後ろ筐体９０との間に設けられ、前筐体８０と後ろ筐体９０がスライド機構１Ｂによって連結されている。
【００７３】
本実施形態においては、第一案内部２４の中央部２４ａが右凸に弓なり状設けられているから、スライダ３が原点位置から最下位置に又はその逆にスライドする場合、付勢機構５による反発力は、第１実施形態の場合と比較して大きい。
【００７４】
なお、第一案内部２４の中央部２４ａが右凸に弓なり状に設けられているのではなく、左凸に弓なり状に設けられてもよい。この場合、スライダ３が原点位置から最下位置に又はその逆にスライドする場合、付勢機構５による反発力は、第１実施形態の場合と比較して小さい。
【００７５】
また、第一案内部２４の中央部２４ａが右凸に弓なり状に設けられているのではなく、第一案内部２４が上端から下端にかけて蛇行して波状に設けられてもよい。スライダ３が原点位置から最下位置に又はその逆にスライドする場合、付勢機構５による反発力に緩急をつけることができる。
【００７６】
また、第一案内部２４が上下方向に延びているのであれば、その形状を適宜変更することで、スライダ３が原点位置から最下位置に又はその逆にスライドする場合の付勢機構５による反発力を適宜変更することができる。例えば、第一案内部２４が直線状であってスライダ３のスライド方向に対して傾斜してもよい。
【００７７】
また、本実施形態で説明した第一案内部２４の形状を第２実施形態のスライド機構１Ａの第一案内部２４に適用してもよい。
【００７８】
＜第４の実施の形態＞
図１４〜１８は、第４実施形態におけるスライド機構１Ｃを示した正面図である。図１９は、このスライド機構１Ｃに備わる付勢機構を示した斜視図である。なお、第４実施形態のスライド機構１Ｃと第１実施形態のスライド機構１との間で互いに対応する部分には同一の符号を付す。
【００７９】
第１実施形態では、図１、図６等に示すように、付勢機構５が圧縮バネ５８を用いたものである。それに対し、第４実施形態では、図１４〜１９に示すように、付勢機構５が引張バネ１０１を用いたものである。
【００８０】
本実施形態における付勢機構５について具体的に説明する。
シャフト１０２の一端部が回転軸５１に固定され、シャフト１０２の軸心が回転軸５１の軸心に対して垂直になっている。シャフト１０２の他端部には、バネ掛け部１０３が設けられている。シャフト１０２には可動部１０４が取り付けられ、この可動部１０４がシャフト１０２に沿ってスライド可能に設けられている。可動部１０４には、摺動ピン４が取り付けられている。可動部１０４には、バネ掛け部１０５が設けられている。バネ掛け部１０５はバネ掛け部１０３よりも回転軸５１側にある。バネ１０１の一端部がバネ掛け部１０３に掛けられ、バネ１０１の他端部がバネ掛け部１０５に掛けられ、バネ１０１の引張力によってバネ掛け部１０５がバネ掛け部１０３側に付勢されている。
【００８１】
このシャフト１０２、可動部１０４、バネ掛け部１０３，１０５及び引張バネ１０１が、ベース２の後面とスライダ３の前面との間に配置されている。この摺動ピン４がガイド２３及びガイド３５に差し込まれ、フランジ４１が摺動ピン４の頭部に設けられ、このフランジ４１がガイド２３の両側においてベース２の前面に引っ掛かっている。回転軸５１は第１実施形態の場合と同様にベース２に連結され、シャフト１０２が回転軸５１の軸心を中心にして回転可能となっている。回転軸５１の設置位置は、第１実施形態の場合と同様である。この付勢機構５は、引張バネ１０１の引張力によって摺動ピン４を回転軸５１から離す方向に付勢する。
【００８２】
上記以外については、第４実施形態のスライド機構１Ｃと第１実施形態のスライド機構１との間で互いに対応する部分は同様に設けられている。また、このスライド機構１Ｃは、第１実施形態のスライド機構１と同様にして、前筐体８０と後ろ筐体９０との間に設けられ、前筐体８０と後ろ筐体９０がスライド機構１Ｃによって連結されている。
【００８３】
図１４は、スライダ３が原点位置に位置している状態を示す図である。図１４に示すように、摺動ピン４が第二引掛部３７に引っ掛かって第二引掛部３７の突端に位置し、摺動ピン４が第一案内部２４の上端に当接している。付勢機構５によって摺動ピン４が左斜め上に付勢されても、スライダ３が上方に移動しない。
【００８４】
図１５は、スライダ３が原点位置と最下位置との間に位置している状態を示す図である。図１５に示すように、スライダ３が原点位置から最下位置にスライドする際に、又は、スライダ３が最下位置から原点位置にスライドする際に、摺動ピン４と回転軸５１の上下の位置が揃うと、引張バネ１０１（図１５では図示略）の引張力が最も大きくなる。スライダ３の位置が図１５の位置から上になれば、引張バネ１０１の引張力でスライダ３が原点位置までスライドし、スライダ３の位置が図１５の位置から下になれば、引張バネ１０１の引張力でスライダ３が最下位置までスライドする。このような動きは、第１実施形態の場合と同様である。
【００８５】
図１６は、スライダ３が最下位置に位置している状態を示す図である。図１６に示すように、摺動ピン４が第二引掛部３７に引っ掛かった状態でスライダ３が付勢機構５によって下に付勢されているから、スライダ３の位置が保持されている。
【００８６】
図１７は、スライダ３が原点位置と最上位置との間に位置している状態を示すである。図１７に示すように、スライダ３が原点位置から最上位置にスライドする際に、又は、スライダ３が最上位置から原点位置にスライドする際に、摺動ピン４が第一引掛部２５に引っ掛かっているから、スライダ３がスライドしても、摺動ピン４がベース２に対して移動しないが、摺動ピン４がスライダ３に対して相対的に第二案内部３６に沿って移動する。
【００８７】
図１８は、スライダ３が最上位置に位置している状態を示す図である。図１８に示すように、摺動ピン４が逃げ３８に引っ掛かって、付勢機構５によって摺動ピン４が逃げ３８に押し込まれており、摺動ピン４が逃げ３８にも第一引掛部２５にも引っ掛かっている。そのため、スライダ３の位置が保持される。
【００８８】
なお、付勢機構５がトーションバネであってもよい。その場合、トーションバネの一方のアームが摺動ピン４に連結され、摺動ピン４がトーションバネに対して摺動ピン４の軸心回りに回転可能となっており、トーションバネの他方のアームが回転軸５１に連結され、回転軸５１がトーションバネに対して回転軸５１の軸心回りに回転可能となっている。そして、トーションバネによって摺動ピン４が回転軸５１から離れる方向に付勢される。
【００８９】
また、図１２（ｂ）に示されたように弓なり状に湾曲したガイド３５が形成されたスライダ３を図１４等に示されたスライド機構１Ｃに適用してもよい。また、図１３に示されたように湾曲した部分（２４ａ）を有するガイド２３が形成されたベース２を図１４等に示されたスライド機構１Ｃに適用してもよい。
【図面の簡単な説明】
【００９０】
【図１】本発明の第１実施形態におけるスライド機構を示した正面図である。
【図２】上記スライド機構を示した正面図である。
【図３】上記スライド機構を示した正面図である。
【図４】上記スライド機構を示した下面図である。
【図５】上記スライド機構に備わるスライダを示した斜視図である。
【図６】上記スライド機構に備わる付勢機構を示した斜視図である。
【図７】上記スライド機構を備える電子機器を示した斜視図である。
【図８】上記電子機器を示した斜視図である。
【図９】上記電子機器を示した斜視図である。
【図１０】上記スライド機構を示した正面図である。
【図１１】上記スライド機構を示した正面図である。
【図１２】本発明の第２実施形態におけるスライド機構を示した正面図及びこれに備わるスライダを示した斜視図である。
【図１３】本発明の第３実施形態におけるスライド機構を示した正面図である。
【図１４】本発明の第４実施形態におけるスライド機構を示した正面図である。
【図１５】同実施形態におけるスライド機構を示した正面図である。
【図１６】同実施形態におけるスライド機構を示した正面図である。
【図１７】同実施形態におけるスライド機構を示した正面図である。
【図１８】同実施形態におけるスライド機構を示した正面図である。
【図１９】同実施形態におけるスライド機構に備わる付勢機構を示した斜視図である。
【符号の説明】
【００９１】
１、１Ａ、１Ｂ、１Ｃ  スライド機構
２  ベース
３  スライダ
４  摺動子
５  付勢機構
８  電子機器
２３  ガイド
２４  第一案内部
２５  第一引掛部
３５  ガイド
３６  第二案内部
３７  第二引掛部
３８  逃げ
８０  前筐体
８３  表示部
８４  開口
８５  上部壁部
８６  下部壁部
９０  後ろ筐体
９２  第一入力部
９４  第二入力部
【図１】
2010028453.tif 000003
【図２】
2010028453.tif 000004
【図３】
2010028453.tif 000005
【図４】
2010028453.tif 000006
【図５】
2010028453.tif 000007
【図６】
2010028453.tif 000008
【図７】
2010028453.tif 000009
【図８】
2010028453.tif 000010
【図９】
2010028453.tif 000011
【図１０】
2010028453.tif 000012
【図１１】
2010028453.tif 000013
【図１２】
2010028453.tif 000014
【図１３】
2010028453.tif 000015
【図１４】
2010028453.tif 000016
【図１５】
2010028453.tif 000017
【図１６】
2010028453.tif 000018
【図１７】
2010028453.tif 000019
【図１８】
2010028453.tif 000020
【図１９】
2010028453.tif 000021